(57)【要約】本開示はセカンダリセルのビーム障害の報告方法、装置及び記憶媒体に関する。当該方法は、ユーザ端末が第１セカンダリセルのビーム障害の発生を確定することと、基地局に対して、前記第１セカンダリセルのビーム障害の発生を前記基地局に通知する報告メッセージを送信するターゲットセルを確定することと、前記ターゲットセルで前記報告メッセージを送信することと、を含む。本開示の実施例はユーザ端末のセカンダリセルのビーム障害を報告するために用いられる。【選択図】図１
2021536193.tif 000002
【特許請求の範囲】
【請求項１】
セカンダリセルのビーム障害の報告方法であって、
ユーザ端末が第１セカンダリセルのビーム障害の発生を確定することと、
基地局に対して、前記第１セカンダリセルのビーム障害の発生を前記基地局に通知する報告メッセージを送信するターゲットセルを確定することと、
前記ターゲットセルで前記報告メッセージを送信することと、を含むことを特徴とするセカンダリセルのビーム障害の報告方法。
【請求項２】
前記第１セカンダリセルのビーム障害の発生を前記基地局に通知するように構成される報告メッセージを送信するターゲットセルを確定することは、
前記ユーザ端末のプライマリセルを前記ターゲットセルとすることであって、ここで、前記第１セカンダリセルが、マスターセル基地局により制御されるマスターセルグループに属すること、または、
前記ユーザ端末のプライマリ・セカンダリセルを前記ターゲットセルとすることであって、ここで、前記第１セカンダリセルが、サブセル基地局により制御されるセカンダリセルグループに属すること、または、
前記ユーザ端末の、前記第１セカンダリセル、前記プライマリセル及び前記プライマリ・セカンダリセル以外の、物理上り制御チャネルＰＵＣＣＨ／物理上り共有チャネルＰＵＳＣＨ／物理ランダムアクセスチャネルＰＲＡＣＨが配置されているセルを前記ターゲットセルとすること、を含む
ことを特徴とする請求項１に記載の方法。
【請求項３】
前記第１セカンダリセルのビーム障害の発生を前記基地局に通知するように構成される報告メッセージを送信するターゲットセルを確定することは、
前記第１セカンダリセルを前記ターゲットセルとして確定することを含み、
前記ターゲットセルで前記報告メッセージを送信することは、
前記第１セカンダリセルのＰＵＣＣＨ／ＰＵＳＣＨ／ＰＲＡＣＨリソースで前記報告メッセージを送信することを含む
ことを特徴とする請求項１に記載の方法。
【請求項４】
前記第１セカンダリセルを前記ターゲットセルとして確定することは、
前記第１セカンダリセル上のＰＵＣＣＨ／ＰＵＳＣＨ／ＰＲＡＣＨが利用可能か否かを確定することと、
前記第１セカンダリセル上のＰＵＣＣＨ／ＰＵＳＣＨ／ＰＲＡＣＨが利用可能である場合、前記第１セカンダリセルを前記ターゲットセルとすることと、を含む
ことを特徴とする請求項３に記載の方法。
【請求項５】
前記第１セカンダリセル上のＰＵＣＣＨ／ＰＵＳＣＨ／ＰＲＡＣＨが利用可能か否かを確定することは、
前記基地局が送信した指示メッセージを受信し、前記指示メッセージに基づいて前記第１セカンダリセル上のＰＵＣＣＨ／ＰＵＳＣＨ／ＰＲＡＣＨが利用可能か否かを確定すること、または、
前記ユーザ端末自身の受信と送信に互換性があるか否かを判断し、前記ユーザ端末自身の受信と送信に互換性がない場合、前記第１セカンダリセル上のＰＵＣＣＨ／ＰＵＳＣＨ／ＰＲＡＣＨが利用可能であると確定すること、を含む
ことを特徴とする請求項４に記載の方法。
【請求項６】
前記ターゲットセルで前記報告メッセージを送信することは、
前記ターゲットセルのＰＵＣＣＨ／ＰＵＳＣＨ上のレイヤ１の参考信号受信パワー（Ｌ１−ＲＳＲＰ）を送るシーケンス値に、前記第１セカンダリセルのセル識別子及びビーム障害の発生を指示する指示情報を含んでいる前記報告メッセージを載せること、を含む
ことを特徴とする請求項２に記載の方法。
【請求項７】
前記指示情報は、前記第１セカンダリセルの1つ又は複数のＲＳの識別子と、前記1つ又は複数のＲＳのＬ１−ＲＳＲＰを含んでいて、前記1つ又は複数のＲＳのＬ１−ＲＳＲＰのビット値が全て所定のビット値である場合、ビーム障害の発生を表す
ことを特徴とする請求項６に記載の方法。
【請求項８】
前記ターゲットセルで前記報告メッセージを送信することは、
前記ターゲットセルのＰＵＣＣＨ／ＰＵＳＣＨ上のチャネル品質指示（ＣＱＩ）をフィードバックするシーケンス値に、前記第１セカンダリセルのセル識別子及び前記第１セカンダリセルのチャネル品質情報を含んでいる前記報告メッセージを載せることを含み、
前記第１セカンダリセルはチャネル品質が所定の閾値より低くなる場合に、ビーム障害の発生を表す
ことを特徴とする請求項２に記載の方法。
【請求項９】
前記ターゲットセルで前記報告メッセージを送信することは、
前記ターゲットセルのＰＵＣＣＨ／ＰＵＳＣＨ上のスケジューリングリクエスト（ＳＲ）のリソースに、前記第１セカンダリセルのセル識別子及びビーム障害の発生を指示する指示情報を含んでいる前記報告メッセージを載せること、を含む
ことを特徴とする、請求項２に記載の方法。
【請求項１０】
前記ターゲットセルで前記報告メッセージを送信することは、
前記ターゲットセルのＰＵＣＣＨ／ＰＵＳＣＨ上で、ＰＵＣＣＨ／ＰＵＳＣＨに載せる前記報告メッセージのビット、前記第１セカンダリセルのセル識別子を示すビット値、及びビーム障害の発生を指示する指示情報を示すビット値を指定した所定フォーマットの報告メッセージを送信すること、を含む
ことを特徴とする請求項２に記載の方法。
【請求項１１】
前記ターゲットセルで前記報告メッセージを送信することは、
基地局が送信した、第１セカンダリセルのビーム障害の発生の旨の報告情報を送信するように構成される所定のＰＲＡＣＨ時間周波数コードリソースを受信することと、
前記所定のＰＲＡＣＨ時間周波数リソースで、予め設定されたランダムアクセスプリアンブルコードを送信して、前記ユーザ端末の第１セカンダリセルのビーム障害の発生を前記基地局に通知すること、を含む
ことを特徴とする請求項２に記載の方法。
【請求項１２】
前記第１セカンダリセルのＰＵＣＣＨ／ＰＵＳＣＨリソースで前記報告メッセージを送信することは、
ＰＵＣＣＨ／ＰＵＳＣＨが利用可能な前記第１セカンダリセル上のＰＵＣＣＨ／ＰＵＳＣＨ上のＬ１−ＲＳＲＰを送るシーケンス値に、前記報告メッセージを載せること、を含む
ことを特徴とする請求項３から５のいずれか１項に記載の方法。
【請求項１３】
前記報告メッセージは、前記第１セカンダリセルの1つまたは複数のＲＳの識別子及び前記1つまたは複数のＲＳのＬ１−ＲＳＲＰを含んでいて、前記1つまたは複数のＲＳのＬ１−ＲＳＲＰのビット値が全て所定のビット値である場合、前記第１セカンダリセルのビーム障害の発生を表す
ことを特徴とする請求項１２に記載の方法。
【請求項１４】
前記第１セカンダリセルのＰＵＣＣＨ／ＰＵＳＣＨリソースで前記報告メッセージを送信することは、
ＰＵＣＣＨ／ＰＵＳＣＨが利用可能な前記第１セカンダリセルのＰＵＣＣＨ／ＰＵＳＣＨ上のチャネル品質指示（ＣＱＩ）をフィードバックするシーケンス値に、前記第１セカンダリセルのチャネル品質情報を含んでいる前記報告メッセージを載せることを含み、
前記第１セカンダリセルのチャネル品質が所定の閾値より低くなる場合に、前記第１セカンダリセルのビーム障害の発生を表す
ことを特徴とする請求項３から５のいずれか１項に記載の方法。
【請求項１５】
前記第１セカンダリセルのＰＲＡＣＨリソースで前記報告メッセージを送信することは、
前記第１セカンダリセルで、新候補ビームに対応する参考信号（ＲＳ）が存在するか否かを検出することと、
前記ユーザ端末は新候補ビームに対応するＲＳを検出すると、前記新候補ビームのＲＳに対応する前記第１セカンダリセルのＰＲＡＣＨ時間周波数リソースで、対応するランダムアクセスプリアンブルコードを送信して、前記ユーザ端末の前記第１セカンダリセルのビーム障害の発生を前記基地局に通知し、ここで、前記第１セカンダリセル上のＰＲＡＣＨは利用可能であることと、を含む
ことを特徴とする請求項３から５のいずれか１項に記載の方法。
【請求項１６】
前記ターゲットセルで前記報告メッセージを送信することは、
前記基地局が送信した配置シグナリングを受信することと、
前記配置シグナリングに基づいて、前記ターゲットセルが配置したＰＵＣＣＨ／ＰＵＳＣＨ／ＰＲＡＣＨを用いて前記報告メッセージの時間周波数コードリソースを送信することと、を含む
ことを特徴とする請求項１に記載の方法。
【請求項１７】
前記基地局が送信した前記第１セカンダリセルのビーム測定と報告用の配置情報を受信することと、
前記配置情報に基づいてビーム測定を行い、測定された候補ビームを報告し、前記候補ビームは、前記基地局が前記第１セカンダリセルのビーム配置を更新するために用いられるものであることと、更に含む
ことを特徴とする請求項１から１１のいずれか１項に記載の方法。
【請求項１８】
セカンダリセルのビーム障害の報告装置であって、
第１セカンダリセルのビーム障害の発生を確定するように配置される第１確定モジュールと、
基地局に対して、前記第１セカンダリセルのビーム障害の発生を前記基地局に通知する報告メッセージを送信するターゲットセルを確定するように配置される第２確定モジュールと、
前記ターゲットセルで前記報告メッセージを送信するように配置される送信モジュールと、を含む
ことを特徴とするセカンダリセルのビーム障害の報告装置。
【請求項１９】
前記第２確定モジュールは、
前記ユーザ端末のプライマリセルを前記ターゲットセルとするように配置される第１確定サブモジュールと、ここで、前記第１セカンダリセルが、マスターセル基地局により制御されるマスターセルグループに属し、または、
前記ユーザ端末のプライマリ・セカンダリセルを前記ターゲットセルとするように配置される第２確定サブモジュールと、ここで、前記第１セカンダリセルが、サブセル基地局により制御されるセカンダリセルグループに属し、または、
前記ユーザ端末の、前記第１セカンダリセル、前記プライマリセル及び前記プライマリ・セカンダリセル以外の、物理上り制御チャネルＰＵＣＣＨ／物理上り共有チャネルＰＵＳＣＨ／物理ランダムアクセスチャネルＰＲＡＣＨが配置されているセルを前記ターゲットセルとするように配置される第３確定サブモジュールと、を含む
ことを特徴とする請求項１８に記載の装置。
【請求項２０】
前記第２確定モジュールは、前記第１セカンダリセルを前記ターゲットセルとして確定するように配置される第４確定サブモジュールを含み、
前記送信モジュールは、前記第１セカンダリセルのＰＵＣＣＨ／ＰＵＳＣＨ／ＰＲＡＣＨリソースで前記報告メッセージを送信するように配置される、
ことを特徴とする請求項１８に記載の装置。
【請求項２１】
前記第１セカンダリセル上のＰＵＣＣＨ／ＰＵＳＣＨ／ＰＲＡＣＨが利用可能か否かを確定するように配置される判断モジュールを更に含み、
前記第４確定サブモジュールは、前記第１セカンダリセル上のＰＵＣＣＨ／ＰＵＳＣＨ／ＰＲＡＣＨが利用可能である場合、前記第１セカンダリセルを前記ターゲットセルとするように配置される、
ことを特徴とする請求項２０に記載の装置。
【請求項２２】
前記判断モジュールは、
前記基地局が送信した指示メッセージを受信するように配置される受信サブモジュールと、
前記指示メッセージに基づいて前記第１セカンダリセル上のＰＵＣＣＨ／ＰＵＳＣＨ／ＰＲＡＣＨが利用可能か否かを確定するように配置される第１利用可能性確定サブモジュールと、を含み、または、
前記判断モジュールは、
前記ユーザ端末自身の受信と送信に互換性があるか否かを判断するように配置される判断サブモジュールと、
前記ユーザ端末自身の受信と送信に互換性がない場合、前記第１セカンダリセル上のＰＵＣＣＨ／ＰＵＳＣＨ／ＰＲＡＣＨが利用可能であると確定するように配置される第２利用可能性確定サブモジュールと、を含む、
ことを特徴とする請求項２１に記載の装置。
【請求項２３】
前記送信モジュールは第１送信サブモジュールを含み、
前記第１送信サブモジュールは、前記ターゲットセルのＰＵＣＣＨ／ＰＵＳＣＨ上のレイヤ１の参考信号受信パワー（Ｌ１−ＲＳＲＰ）を送るシーケンス値に、前記第１セカンダリセルのセル識別子及びビーム障害の発生を指示する指示情報を含んでいる前記報告メッセージを載せるように配置される、
ことを特徴とする請求項１９に記載の装置。
【請求項２４】
前記指示情報は、前記第１セカンダリセルの1つ又は複数のＲＳの識別子と、前記1つ又は複数のＲＳのＬ１−ＲＳＲＰを含んでいて、前記1つ又は複数のＲＳのＬ１−ＲＳＲＰのビット値が全て所定のビット値である場合、ビーム障害の発生を表す
ことを特徴とする請求項２３に記載の装置。
【請求項２５】
前記送信モジュールは第２送信サブモジュールを含み、
前記第２送信サブモジュールは、前記ターゲットセルのＰＵＣＣＨ／ＰＵＳＣＨ上のチャネル品質指示（ＣＱＩ）をフィードバックするシーケンス値に、前記第１セカンダリセルのセル識別子及び前記第１セカンダリセルのチャネル品質情報を含んでいる前記報告メッセージを載せるように配置され、前記第１セカンダリセルはチャネル品質が所定の閾値より低くなる場合に、ビーム障害の発生を表す
ことを特徴とする請求項１９に記載の装置。
【請求項２６】
前記送信モジュールは第３送信サブモジュールを含み、
前記第３送信サブモジュールは、前記ターゲットセルのＰＵＣＣＨ／ＰＵＳＣＨ上のスケジューリングリクエスト（ＳＲ）のリソースに、前記第１セカンダリセルのセル識別子及びビーム障害の発生を指示する指示情報を含んでいる前記報告メッセージを載せるように配置される
ことを特徴とする請求項１９に記載の装置。
【請求項２７】
前記送信モジュールは第４送信サブモジュールを含み、
前記第４送信サブモジュールは、前記ターゲットセルのＰＵＣＣＨ／ＰＵＳＣＨ上で、ＰＵＣＣＨ／ＰＵＳＣＨに載せる前記報告メッセージのビット、前記第１セカンダリセルのセル識別子を示すビット値、及びビーム障害の発生を指示する指示情報を示すビット値を指定した所定フォーマットの報告メッセージを送信するように配置される
ことを特徴とする請求項１９に記載の装置。
【請求項２８】
前記送信モジュールは、
基地局が送信した、第１セカンダリセルのビーム障害の発生の旨の報告情報を送信するように構成される所定のＰＲＡＣＨ時間周波数コードリソースを受信するように配置される第１受信サブモジュールと、
前記所定のＰＲＡＣＨ時間周波数リソースで、予め設定されたランダムアクセスプリアンブルコードを送信して、前記ユーザ端末の第１セカンダリセルのビーム障害の発生を前記基地局に通知するように配置される第５送信サブモジュールと、を含む
ことを特徴とする請求項１９に記載の装置。
【請求項２９】
前記送信モジュールは第６送信サブモジュールを含み、
前記第６送信サブモジュールは、ＰＵＣＣＨ／ＰＵＳＣＨが利用可能な前記第１セカンダリセル上のＰＵＣＣＨ／ＰＵＳＣＨ上のＬ１−ＲＳＲＰを送るシーケンス値に、前記報告メッセージを載せるように配置される
ことを特徴とする、請求項２０から２２のいずれか１項に記載の装置。
【請求項３０】
前記報告メッセージは、前記第１セカンダリセルの1つまたは複数のＲＳの識別子及び前記1つまたは複数のＲＳのＬ１−ＲＳＲＰを含んでいて、前記1つまたは複数のＲＳのＬ１−ＲＳＲＰのビット値が全て所定のビット値である場合、前記第１セカンダリセルのビーム障害の発生を表す
ことを特徴とする請求項２９に記載の装置。
【請求項３１】
前記送信モジュールは第７送信サブモジュールを含み、
前記第７送信サブモジュールは、ＰＵＣＣＨ／ＰＵＳＣＨが利用可能な前記第１セカンダリセルのＰＵＣＣＨ／ＰＵＳＣＨ上のチャネル品質指示（ＣＱＩ）をフィードバックするシーケンス値に、前記第１セカンダリセルのチャネル品質情報を含んでいる前記報告メッセージを載せるように配置され、前記第１セカンダリセルのチャネル品質が所定の閾値より低くなる場合に、前記第１セカンダリセルのビーム障害の発生を表す
ことを特徴とする請求項２０乃至２２のいずれか１項に記載の装置。
【請求項３２】
前記送信モジュールは、
前記第１セカンダリセルで、新候補ビームに対応する参考信号（ＲＳ）が存在するか否かを検出するように配置される検出サブモジュールと、
前記ユーザ端末は新候補ビームに対応するＲＳを検出すると、前記新候補ビームのＲＳに対応する前記第１セカンダリセルのＰＲＡＣＨ時間周波数リソースで、対応するランダムアクセスプリアンブルコードを送信して、前記ユーザ端末の前記第１セカンダリセルのビーム障害の発生を前記基地局に通知するように配置される第８送信サブモジュールと、を含み、ここで、前記第１セカンダリセル上のＰＲＡＣＨは利用可能である、
ことを特徴とする、請求項２０から２２のいずれか１項に記載の装置。
【請求項３３】
前記送信モジュールは、
前記基地局が送信した配置シグナリングを受信するように配置される第２受信サブモジュールと、
前記配置シグナリングに基づいて、前記ターゲットセルが配置したＰＵＣＣＨ／ＰＵＳＣＨ／ＰＲＡＣＨを用いて前記報告メッセージの時間周波数コードリソースを送信するように配置される第９送信サブモジュールと、を含む
ことを特徴とする請求項１８に記載の装置。
【請求項３４】
前記基地局が送信した前記第１セカンダリセルのビーム測定と報告用の配置情報を受信するように配置される受信モジュールと、
前記配置情報に基づいてビーム測定を行い、測定された候補ビームを報告するように配置されるビーム測定報告モジュールと、を更に含み、ここで、前記候補ビームは、前記基地局が前記第１セカンダリセルのビーム配置を更新するために用いられるものである
ことを特徴とする請求項１８から２８のいずれか１項に記載の装置。
【請求項３５】
コンピュータプログラムが記憶されているコンピュータ読み取り可能な記憶媒体であって、当該プログラムがプロセッサにより実行される時に、請求項１から１７のいずれか１項に記載の方法のステップを実現する、
ことを特徴とするコンピュータ読み取り可能な記憶媒体。
【請求項３６】
ユーザ端末であって、
コンピュータプログラムが記憶されているメモリと、
前記メモリ内の前記コンピュータプログラムを実行して、請求項１から１７のいずれか１項に記載の方法のステップを実現するプロセッサと、を含む
ことを特徴とするユーザ端末。
【発明の詳細な説明】
【技術分野】
【０００１】
本発明は通信技術分野に関し、特にセカンダリセルのビーム障害の報告方法、装置及び記憶媒体に関する。
【背景技術】
【０００２】
ＮＲ（ＮｅｗＲａｄｉｏ、新しい無線技術）において、特に通信周波数帯域がｆｒｅｑｕｅｎｃｙ  ｒａｎｇｅ２（６ＧＨｚ以上）である場合、高周波チャネルの減衰が速いため、カバレッジを保証するために、ビームによる送受信が必要である。しかし、ＮＲにおいて、制御チャネルもビームによる送信及び受信をする必要があるため、ユーザ端末が移動し、又はアンテナ方向が回転する場合、現在ユーザ端末に配置されたユーザがＰＤＣＣＨ（Ｐｈｙｓｉｃａｌ  Ｄｏｗｎｌｉｎｋ  Ｃｏｎｔｒｏｌ  Ｃｈａｎｎｅｌ、物理下り制御チャネル）を受信するＲｘ  ｂｅａｍ（受信ビーム）はｂｅａｍ  ｆａｉｌｕｒｅ（ビーム障害）の問題を発生する可能性がある。
【０００３】
現在のプロトコル標準はビーム障害を検出するＲＳ（Ｒｅｆｅｒｅｎｃｅ  Ｓｉｇｎａｌ、参考信号）リソースを定義し、ユーザ端末がこれらのＲＳリソースにおける全てのＲＳ上のチャネル品質が閾値ｔｈｒｅｓｈｏｌｄ＃１より低くなることを検出する時、ビーム障害が発生したことを明らかにした。この時にユーザ端末は基地局が配置したｃａｎｄｉｄａｔｅ  ｂｅａｍ（候補ビーム）を決定するＲＳリソースに基づき、当該リソースにおけるＲＳにＬ１−ＲＳＲＰ（Ｌ１−Ｒｅｆｅｒｅｎｃｅ  Ｓｉｇｎａｌ  Ｒｅｃｅｉｖｅｄ  Ｐｏｗｅｒ、レイヤ１の参考信号受信パワー）が閾値ｔｈｒｅｓｈｏｌｄ＃２を満たすＲＳがあるか否かを検出する。そのようなＲＳがあれば、ユーザ端末は当該ＲＳに対応するランダムアクセス時間周波数リソースで当該ＲＳに対応するランダムアクセスプリアンブルコードを送信し、基地局に当該ユーザ端末が当該セルでビーム障害が発生したこと、且つ新たなビーム（すなわち当該ランダムアクセスプリアンブルコードに対応するＲＳが使用しているビーム）を見つけたことを隠して通知する。その後、ユーザ端末は基地局が送信した応答メッセージを検出し、ビーム回復を待つ。
【０００４】
しかし、上記の過程では、ユーザ端末のＰＣｅｌｌ（Ｐｒｉｍａｒｙ  ｃｅｌｌ、プライマリセル）上のビーム障害の報告及び回復過程のみを定義し、ユーザ端末のＳＣｅｌｌ（Ｓｅｃｏｎｄａｒｙ  Ｃｅｌｌ、セカンダリセル）上のビーム障害は如何に報告及び回復するかについて、従来技術には考慮されていない。
【発明の概要】
【発明が解決しようとする課題】
【０００５】
関連技術に存在する問題を解消するために、本開示はセカンダリセルのビーム障害の報告方法、装置及び記憶媒体を提供する。
【課題を解決するための手段】
【０００６】
上記目的を達成するために、本開示の実施例の第１態様によれば、セカンダリセルのビーム障害の報告方法を提供し、前記方法は、
ユーザ端末が第１セカンダリセルのビーム障害の発生を確定することと、
基地局に対して、前記第１セカンダリセルのビーム障害の発生を前記基地局に通知する報告メッセージを送信するターゲットセルを確定することと、
前記ターゲットセルで前記報告メッセージを送信することと、を含む。
【０００７】
選択的に、前記第１セカンダリセルのビーム障害の発生を前記基地局に通知するように構成される報告メッセージを送信するターゲットセルを確定することは、
前記ユーザ端末のプライマリセルを前記ターゲットセルとすることであって、ここで、前記第１セカンダリセルが、マスターセル基地局により制御されるマスターセルグループに属すること、または、
前記ユーザ端末のプライマリ・セカンダリセルを前記ターゲットセルとすることであって、ここで、前記第１セカンダリセルが、サブセル基地局により制御されるセカンダリセルグループに属すること、または、
前記ユーザ端末の、前記第１セカンダリセル、前記プライマリセル及び前記プライマリ・セカンダリセル以外の、物理上り制御チャネルＰＵＣＣＨ／物理上り共有チャネルＰＵＳＣＨ／物理ランダムアクセスチャネルＰＲＡＣＨが配置されているセルを前記ターゲットセルとすること、を含んでも良い。
【０００８】
選択的に、前記第１セカンダリセルのビーム障害の発生を前記基地局に通知するように構成される報告メッセージを送信するターゲットセルを確定することは、
前記第１セカンダリセルを前記ターゲットセルとして確定することを含んでも良く、
前記ターゲットセルで前記報告メッセージを送信することは、
前記第１セカンダリセルのＰＵＣＣＨ／ＰＵＳＣＨ／ＰＲＡＣＨリソースで前記報告メッセージを送信することを含んでも良い。
【０００９】
選択的に、前記第１セカンダリセルを前記ターゲットセルとして確定することは、
前記第１セカンダリセル上のＰＵＣＣＨ／ＰＵＳＣＨ／ＰＲＡＣＨが利用可能か否かを確定することと、
前記第１セカンダリセル上のＰＵＣＣＨ／ＰＵＳＣＨ／ＰＲＡＣＨが利用可能である場合、前記第１セカンダリセルを前記ターゲットセルとすることと、を含んでも良い。
【００１０】
選択的に、前記第１セカンダリセル上のＰＵＣＣＨ／ＰＵＳＣＨ／ＰＲＡＣＨが利用可能か否かを確定することは、
前記基地局が送信した指示メッセージを受信し、前記指示メッセージに基づいて前記第１セカンダリセル上のＰＵＣＣＨ／ＰＵＳＣＨ／ＰＲＡＣＨが利用可能か否かを確定すること、または、
前記ユーザ端末自身の受信と送信に互換性があるか否かを判断し、前記ユーザ端末自身の受信と送信に互換性がない場合、前記第１セカンダリセル上のＰＵＣＣＨ／ＰＵＳＣＨ／ＰＲＡＣＨが利用可能であると確定すること、を含んでも良い。
【００１１】
選択的に、前記ターゲットセルで前記報告メッセージを送信することは、
前記ターゲットセルのＰＵＣＣＨ／ＰＵＳＣＨ上のレイヤ１の参考信号受信パワー（Ｌ１−ＲＳＲＰ）を送るシーケンス値に、前記第１セカンダリセルのセル識別子及びビーム障害の発生を指示する指示情報を含んでいる前記報告メッセージを載せること、を含んでも良い。
【００１２】
選択的に、前記指示情報は、前記第１セカンダリセルの1つ又は複数のＲＳの識別子と、前記1つ又は複数のＲＳのＬ１−ＲＳＲＰを含んでいて、前記1つ又は複数のＲＳのＬ１−ＲＳＲＰのビット値が全て所定のビット値である場合、ビーム障害の発生を表す。
【００１３】
選択的に、前記ターゲットセルで前記報告メッセージを送信することは、
前記ターゲットセルのＰＵＣＣＨ／ＰＵＳＣＨ上のチャネル品質指示（ＣＱＩ）をフィードバックするシーケンス値に、前記第１セカンダリセルのセル識別子及び前記第１セカンダリセルのチャネル品質情報を含んでいる前記報告メッセージを載せることを含んでも良く、
前記第１セカンダリセルはチャネル品質が所定の閾値より低くなる場合に、ビーム障害の発生を表す。
【００１４】
選択的に、前記ターゲットセルで前記報告メッセージを送信することは、
前記ターゲットセルのＰＵＣＣＨ／ＰＵＳＣＨ上のスケジューリングリクエスト（ＳＲ）のリソースに、前記第１セカンダリセルのセル識別子及びビーム障害の発生を指示する指示情報を含んでいる前記報告メッセージを載せること、を含んでも良い。
【００１５】
選択的に、前記ターゲットセルで前記報告メッセージを送信することは、
前記ターゲットセルのＰＵＣＣＨ／ＰＵＳＣＨ上で、ＰＵＣＣＨ／ＰＵＳＣＨに載せる前記報告メッセージのビット、前記第１セカンダリセルのセル識別子を示すビット値、及びビーム障害の発生を指示する指示情報を示すビット値を指定した所定フォーマットの報告メッセージを送信すること、を含んでも良い。
【００１６】
選択的に、前記ターゲットセルで前記報告メッセージを送信することは、
基地局が送信した、第１セカンダリセルのビーム障害の発生の旨の報告情報を送信するように構成される所定のＰＲＡＣＨ時間周波数コードリソースを受信することと、
前記所定のＰＲＡＣＨ時間周波数リソースで、予め設定されたランダムアクセスプリアンブルコードを送信して、前記ユーザ端末の第１セカンダリセルのビーム障害の発生を前記基地局に通知すること、を含んでも良い。
【００１７】
選択的に、前記第１セカンダリセルのＰＵＣＣＨ／ＰＵＳＣＨリソースで前記報告メッセージを送信することは、
ＰＵＣＣＨ／ＰＵＳＣＨが利用可能な前記第１セカンダリセル上のＰＵＣＣＨ／ＰＵＳＣＨ上のＬ１−ＲＳＲＰを送るシーケンス値に、前記報告メッセージを載せること、を含んでも良い。
【００１８】
選択的に、前記報告メッセージは、前記第１セカンダリセルの1つまたは複数のＲＳの識別子及び前記1つまたは複数のＲＳのＬ１−ＲＳＲＰを含んでいて、前記1つまたは複数のＲＳのＬ１−ＲＳＲＰのビット値が全て所定のビット値である場合、前記第１セカンダリセルのビーム障害の発生を表す。
【００１９】
選択的に、前記第１セカンダリセルのＰＵＣＣＨ／ＰＵＳＣＨリソースで前記報告メッセージを送信することは、
ＰＵＣＣＨ／ＰＵＳＣＨが利用可能な前記第１セカンダリセルのＰＵＣＣＨ／ＰＵＳＣＨ上のチャネル品質指示（ＣＱＩ）をフィードバックするシーケンス値に、前記第１セカンダリセルのチャネル品質情報を含んでいる前記報告メッセージを載せることを含んでも良く、
前記第１セカンダリセルのチャネル品質が所定の閾値より低くなる場合に、前記第１セカンダリセルのビーム障害の発生を表す。
【００２０】
選択的に、前記第１セカンダリセルのＰＲＡＣＨリソースで前記報告メッセージを送信することは、
前記第１セカンダリセルで、新候補ビームに対応する参考信号（ＲＳ）が存在するか否かを検出することと、
前記ユーザ端末は新候補ビームに対応するＲＳを検出すると、前記新候補ビームのＲＳに対応する前記第１セカンダリセルのＰＲＡＣＨ時間周波数リソースで、対応するランダムアクセスプリアンブルコードを送信して、前記ユーザ端末の前記第１セカンダリセルのビーム障害の発生を前記基地局に通知し、ここで、前記第１セカンダリセル上のＰＲＡＣＨは利用可能であることと、を含んでも良い。
【００２１】
選択的に、前記ターゲットセルで前記報告メッセージを送信することは、
前記基地局が送信した配置シグナリングを受信することと、
前記配置シグナリングに基づいて、前記ターゲットセルが配置したＰＵＣＣＨ／ＰＵＳＣＨ／ＰＲＡＣＨを用いて前記報告メッセージの時間周波数コードリソースを送信することと、を含んでも良い。
【００２２】
選択的に、前記方法は、
前記基地局が送信した前記第１セカンダリセルのビーム測定と報告用の配置情報を受信することと、
前記配置情報に基づいてビーム測定を行い、測定された候補ビームを報告し、前記候補ビームは、前記基地局が前記第１セカンダリセルのビーム配置を更新するために用いられるものであることと、更に含んでも良い。
【００２３】
本開示の実施例の第２態様によれば、セカンダリセルのビーム障害の報告装置を提供し、前記装置は、
第１セカンダリセルのビーム障害の発生を確定するように配置される第１確定モジュールと、
基地局に対して、前記第１セカンダリセルのビーム障害の発生を前記基地局に通知する報告メッセージを送信するターゲットセルを確定するように配置される第２確定モジュールと、
前記ターゲットセルで前記報告メッセージを送信するように配置される送信モジュールと、を含む。
【００２４】
選択的に、前記第２確定モジュールは、
前記ユーザ端末のプライマリセルを前記ターゲットセルとするように配置される第１確定サブモジュールと、ここで、前記第１セカンダリセルが、マスターセル基地局により制御されるマスターセルグループに属し、または、
前記ユーザ端末のプライマリ・セカンダリセルを前記ターゲットセルとするように配置される第２確定サブモジュールと、ここで、前記第１セカンダリセルが、サブセル基地局により制御されるセカンダリセルグループに属し、または、
前記ユーザ端末の、前記第１セカンダリセル、前記プライマリセル及び前記プライマリ・セカンダリセル以外の、物理上り制御チャネルＰＵＣＣＨ／物理上り共有チャネルＰＵＳＣＨ／物理ランダムアクセスチャネルＰＲＡＣＨが配置されているセルを前記ターゲットセルとするように配置される第３確定サブモジュールと、を含んでも良い。
【００２５】
選択的に、前記第２確定モジュールは、前記第１セカンダリセルを前記ターゲットセルとして確定するように配置される第４確定サブモジュールを含んでも良く、
前記送信モジュールは、前記第１セカンダリセルのＰＵＣＣＨ／ＰＵＳＣＨ／ＰＲＡＣＨリソースで前記報告メッセージを送信するように配置されても良い。
【００２６】
選択的に、前記装置は、
前記第１セカンダリセル上のＰＵＣＣＨ／ＰＵＳＣＨ／ＰＲＡＣＨが利用可能か否かを確定するように配置される判断モジュールを更に含んでも良く、
前記第４確定サブモジュールは、前記第１セカンダリセル上のＰＵＣＣＨ／ＰＵＳＣＨ／ＰＲＡＣＨが利用可能である場合、前記第１セカンダリセルを前記ターゲットセルとするように配置されても良い。
【００２７】
選択的に、前記判断モジュールは、
前記基地局が送信した指示メッセージを受信するように配置される受信サブモジュールと、
前記指示メッセージに基づいて前記第１セカンダリセル上のＰＵＣＣＨ／ＰＵＳＣＨ／ＰＲＡＣＨが利用可能か否かを確定するように配置される第１利用可能性確定サブモジュールと、を含んでも良く、または、
前記判断モジュールは、
前記ユーザ端末自身の受信と送信に互換性があるか否かを判断するように配置される判断サブモジュールと、
前記ユーザ端末自身の受信と送信に互換性がない場合、前記第１セカンダリセル上のＰＵＣＣＨ／ＰＵＳＣＨ／ＰＲＡＣＨが利用可能であると確定するように配置される第２利用可能性確定サブモジュールと、を含んでも良い。
【００２８】
選択的に、前記送信モジュールは第１送信サブモジュールを含んでも良く、
前記第１送信サブモジュールは、前記ターゲットセルのＰＵＣＣＨ／ＰＵＳＣＨ上のレイヤ１の参考信号受信パワー（Ｌ１−ＲＳＲＰ）を送るシーケンス値に、前記第１セカンダリセルのセル識別子及びビーム障害の発生を指示する指示情報を含んでいる前記報告メッセージを載せるように配置されても良い。
【００２９】
選択的に、前記指示情報は、前記第１セカンダリセルの1つ又は複数のＲＳの識別子と、前記1つ又は複数のＲＳのＬ１−ＲＳＲＰを含んでいて、前記1つ又は複数のＲＳのＬ１−ＲＳＲＰのビット値が全て所定のビット値である場合、ビーム障害の発生を表す。
【００３０】
選択的に、前記送信モジュールは第２送信サブモジュールを含んでも良く、
前記第２送信サブモジュールは、前記ターゲットセルのＰＵＣＣＨ／ＰＵＳＣＨ上のチャネル品質指示（ＣＱＩ）をフィードバックするシーケンス値に、前記第１セカンダリセルのセル識別子及び前記第１セカンダリセルのチャネル品質情報を含んでいる前記報告メッセージを載せるように配置されても良く、前記第１セカンダリセルはチャネル品質が所定の閾値より低くなる場合に、ビーム障害の発生を表す。
【００３１】
選択的に、前記送信モジュールは第３送信サブモジュールを含んでも良く、
前記第３送信サブモジュールは、前記ターゲットセルのＰＵＣＣＨ／ＰＵＳＣＨ上のスケジューリングリクエスト（ＳＲ）のリソースに、前記第１セカンダリセルのセル識別子及びビーム障害の発生を指示する指示情報を含んでいる前記報告メッセージを載せるように配置されても良い。
【００３２】
選択的に、前記送信モジュールは第４送信サブモジュールを含んでも良く、
前記第４送信サブモジュールは、前記ターゲットセルのＰＵＣＣＨ／ＰＵＳＣＨ上で、ＰＵＣＣＨ／ＰＵＳＣＨに載せる前記報告メッセージのビット、前記第１セカンダリセルのセル識別子を示すビット値、及びビーム障害の発生を指示する指示情報を示すビット値を指定した所定フォーマットの報告メッセージを送信するように配置されても良い。
【００３３】
選択的に、前記送信モジュールは、
基地局が送信した、第１セカンダリセルのビーム障害の発生の旨の報告情報を送信するように構成される所定のＰＲＡＣＨ時間周波数コードリソースを受信するように配置される第１受信サブモジュールと、
前記所定のＰＲＡＣＨ時間周波数リソースで、予め設定されたランダムアクセスプリアンブルコードを送信して、前記ユーザ端末の第１セカンダリセルのビーム障害の発生を前記基地局に通知するように配置される第５送信サブモジュールと、を含んでも良い。
【００３４】
選択的に、前記送信モジュールは第６送信サブモジュールを含んでも良く、
前記第６送信サブモジュールは、ＰＵＣＣＨ／ＰＵＳＣＨが利用可能な前記第１セカンダリセル上のＰＵＣＣＨ／ＰＵＳＣＨ上のＬ１−ＲＳＲＰを送るシーケンス値に、前記報告メッセージを載せるように配置されても良い。
【００３５】
選択的に、前記報告メッセージは、前記第１セカンダリセルの1つまたは複数のＲＳの識別子及び前記1つまたは複数のＲＳのＬ１−ＲＳＲＰを含んでいて、前記1つまたは複数のＲＳのＬ１−ＲＳＲＰのビット値が全て所定のビット値である場合、前記第１セカンダリセルのビーム障害の発生を表す。
【００３６】
選択的に、前記送信モジュールは第７送信サブモジュールを含んでも良く、
前記第７送信サブモジュールは、ＰＵＣＣＨ／ＰＵＳＣＨが利用可能な前記第１セカンダリセルのＰＵＣＣＨ／ＰＵＳＣＨ上のチャネル品質指示（ＣＱＩ）をフィードバックするシーケンス値に、前記第１セカンダリセルのチャネル品質情報を含んでいる前記報告メッセージを載せるように配置されても良く、前記第１セカンダリセルのチャネル品質が所定の閾値より低くなる場合に、前記第１セカンダリセルのビーム障害の発生を表す。
【００３７】
選択的に、前記送信モジュールは、
前記第１セカンダリセルで、新候補ビームに対応する参考信号（ＲＳ）が存在するか否かを検出するように配置される検出サブモジュールと、
前記ユーザ端末は新候補ビームに対応するＲＳを検出すると、前記新候補ビームのＲＳに対応する前記第１セカンダリセルのＰＲＡＣＨ時間周波数リソースで、対応するランダムアクセスプリアンブルコードを送信して、前記ユーザ端末の前記第１セカンダリセルのビーム障害の発生を前記基地局に通知するように配置される第８送信サブモジュールと、を含んでも良く、ここで、前記第１セカンダリセル上のＰＲＡＣＨは利用可能である。
【００３８】
選択的に、前記送信モジュールは、
前記基地局が送信した配置シグナリングを受信するように配置される第２受信サブモジュールと、
前記配置シグナリングに基づいて、前記ターゲットセルが配置したＰＵＣＣＨ／ＰＵＳＣＨ／ＰＲＡＣＨを用いて前記報告メッセージの時間周波数コードリソースを送信するように配置される第９送信サブモジュールと、を含んでも良い。
【００３９】
選択的に、前記装置は、
前記基地局が送信した前記第１セカンダリセルのビーム測定と報告用の配置情報を受信するように配置される受信モジュールと、
前記配置情報に基づいてビーム測定を行い、測定された候補ビームを報告するように配置されるビーム測定報告モジュールと、を含んでも良く、ここで、前記候補ビームは、前記基地局が前記第１セカンダリセルのビーム配置を更新するために用いられるものであっても良い。
【００４０】
本開示の実施例の第３態様によれば、コンピュータプログラムが記憶されているコンピュータ読み取り可能な記憶媒体を提供し、当該プログラムがプロセッサにより実行される時に、第１態様に記載の方法のステップを実現する。
【００４１】
本開示の実施例の第４態様によれば、ユーザ端末を提供し、前記ユーザ端末は、
コンピュータプログラムが記憶されているメモリと、
前記メモリ内の前記コンピュータプログラムを実行して、第１態様に記載の方法のステップを実現するプロセッサと、を含んでも良い。
【発明の効果】
【００４２】
本開示に提供されている技術的解決手段によれば、少なくとも下記の技術的効果を達成することができる。
【００４３】
ユーザ端末のいずれかのセカンダリセルがビーム障害を発生した時、当該セカンダリセルのビーム障害の発生を基地局に通知する報告メッセージを送信するターゲットセルを確定できる。ここで、当該ターゲットセルは具体的に、ユーザ端末の当該セカンダリセル以外のセルであってもよい。このような場合、ユーザ端末はクロス・キャリアの方式で他のセルで当該セカンダリセルのビーム障害の発生の旨のメッセージを報告するメッセージを送信することができ、そして、当該セカンダリセル自体のＰＵＣＣＨ／ＰＵＳＣＨ／ＰＲＡＣＨが利用可能である場合、当該セカンダリセルをターゲットセルとして報告メッセージを送信しても良い。よって、ユーザ端末のセカンダリセルがビーム障害を発生した場合に、基地局に正確的に通知することができる。
【００４４】
本開示の他の特徴及び利点は、後文の発明を実施するための形態において詳しく説明する。
【図面の簡単な説明】
【００４５】
本明細書に組み込まれ、本明細書の一部を構成する添付の図面は、本開示に合致する実施例を示し、明細書と共に本開示の原理を説明するものである。
【図１】本開示の例示的な実施例によるセカンダリセルのビーム障害の報告方法のフローチャートである。
【図２】本開示の例示的な実施例による他のセカンダリセルのビーム障害の報告方法のフローチャートである。
【図３】本開示の例示的な実施例による他のセカンダリセルのビーム障害の報告方法のフローチャートである。
【図４】本開示の例示的な実施例による他のセカンダリセルのビーム障害の報告方法のフローチャートである。
【図５】本開示の例示的な実施例による他のセカンダリセルのビーム障害の報告方法のフローチャートである。
【図６】本開示の例示的な実施例によるセカンダリセルのビーム障害の報告装置のブロック図である。
【図７】本開示の例示的な実施例による他のセカンダリセルのビーム障害の報告装置のブロック図である。
【図８】本開示の例示的な実施例による他のセカンダリセルのビーム障害の報告装置のブロック図である。
【図９】本開示の例示的な実施例による他のセカンダリセルのビーム障害の報告装置のブロック図である。
【図１０】本開示の例示的な実施例による他のセカンダリセルのビーム障害の報告装置のブロック図である。
【図１１】本発明の一実施例によるユーザ端末のブロック図である。
【発明を実施するための形態】
【００４６】
ここで、例示的な実施例を詳しく説明し、その例を図面に示す。下記の図面に関連する説明では、特に示されない限り、異なる図面における同一数字は、同一または類似の要素を示す。下記の例示的な実施例に記載される実施形態は、本開示に合致する実施形態全体を表すものではない。むしろ、それらは、添付の特許請求の範囲に詳述される本開示のいくつかの態様と一致する装置及び方法の例に過ぎない。
【００４７】
まず、シンボル「／」の意味を説明する。本文におけるシンボル「／」は「又は」との関係を表すものであり、例えば「Ａ／Ｂ」はＡ又はＢという意味であり、また例えば、後述する「第１セカンダリセルのＰＵＣＣＨ／ＰＵＳＣＨ／ＰＲＡＣＨが利用可能であるか否か」は、「第１セカンダリセルのＰＵＣＣＨ又はＰＵＳＣＨ又はＰＲＡＣＨが利用可能であるか否か」という意味と理解されるべき。後文に記載される「／」について、重複する説明をしない。
【００４８】
また、本開示の実施例の適用を説明する。本開示の下記の実施例は、例えば、５ＧＮＲ（Ｎｅｗ  Ｒａｄｉｏ）システム、ＬＴＥシステム、ＬＴＥ−Ａ（Ｌｏｎｇ  Ｔｅｒｍ  Ｅｖｏｌｕｔｉｏｎ  Ａｄｖａｎｃｅｄ、先進のロングタームエボリューション）システム、及びその更なる進化ネットワークなどの無線通信ネットワークに適用されることができる。
【００４９】
無線通信ネットワークには基地局及びユーザ端末が含まれている。基地局はユーザ端末又は他の通信局例えば中継局と通信する装置であってもよい。基地局は、特定の物理的エリアの通信範囲を提供してもよい。具体的には、例えば、基地局は５ＲＧＲシステムのｇＮＢ、ＬＴＥシステムにおける進化型基地局（Ｅｖｏｌｖｅｄ  Ｎｏｄｅ  Ｂ、ＥＮＢ又はｅＮｏｄｅＢと略称する）であってもよい。または、無線通信ネットワークにおけるアクセスサービスを提供する他のアクセスネットワーク機器であってもよい。
【００５０】
本開示の実施例において、ユーザ端末は無線通信ネットワーク全体に分布するものであって良く、各ユーザ端末は静的なもの又は移動可能なものであっても良い。例えば、当該ユーザ端末はセル・フォン、パーソナルデジタルアシスタント（Ｐｅｒｓｏｎａｌ  Ｄｉｇｉｔａｌ  Ａｓｓｉｓｔａｎｔ、ＰＤＡ）、ハンドヘルド装置（Ｈａｎｄｈｅｌｄ）、ラップトップコンピュータ（Ｌａｐｔｏｐ  Ｃｏｍｐｕｔｅｒ）などの無線通信装置であってもよい。更に、当該ユーザ端末は機器間（Ｍａｃｈｉｎｅ  ｔｏ  Ｍａｃｈｉｎｅ、Ｍ２Ｍ）通信に適用するＭ２Ｍ端末であってもよく、例えばスマート電気メーター、スマート家電等、Ｍ２Ｍ通信を支援する装置であってもよい。また、新世代ＡＲ（Ａｕｇｍｅｎｔｅｄ  Ｒｅａｌｉｔｙ、拡張現実）及びＶＲ（Ｖｉｒｔｕａｌ  Ｒｅａｌｉｔｙ、仮想現実）技術、及び車両通信等の新型インターネットアプリケーションの発展に伴い、無線通信ネットワークの配置シーンがますます広くなっていく。そのため、ユーザ端末のタイプもより多様であり、本開示はこれを限定しない。
【００５１】
上記適用シーンに基づき、下記は本開示の実施例によるセカンダリセルのビーム障害の報告方法について説明する。
【００５２】
図１は本開示の例示的な実施例によるセカンダリセルのビーム障害の報告方法のフローチャートであり、当該方法はユーザ端末に適用するものであり、図１に示すように、下記のステップを含んでも良い。
【００５３】
ステップＳ１１において、ユーザ端末の第１セカンダリセルのビーム障害の発生を確定する。
【００５４】
ここで、当該第１セカンダリセルは当該ユーザ端末のいずれかのセカンダリセルである。
【００５５】
ステップＳ１２において、基地局に対して報告メッセージを送信するターゲットセルを確定する。
【００５６】
ここで、上記の報告メッセージは、上記の第１セカンダリセルのビーム障害の発生を上記の基地局に通知するように構成される。
【００５７】
具体的に実施する際に、対応する条件で、当該ターゲットセルは当該第１セカンダリセル自体であってもよく、ユーザ端末の第１セカンダリセル以外のセルであってもよく、ユーザ端末の各セルを上記のターゲットセルとする条件は後文において詳しく説明する。
【００５８】
ステップＳ１３において、上記のターゲットセルで上記の報告メッセージを送信する。
【００５９】
具体的には、当該ユーザ端末は、上記の基地局が送信した配置シグナリングを受信し、上記の配置シグナリングに基づいて、上記のターゲットセルが配置したＰＵＣＣＨ／ＰＵＳＣＨ／ＰＲＡＣＨを用いて上記の報告メッセージの時間周波数コードリソースを送信することができる。
【００６０】
また、ステップＳ１２において確定したターゲットセルによって、報告メッセージの、第１セカンダリセルのビーム障害の発生を基地局に通知する方式が異なる。後文において具体的に説明する。
【００６１】
上記方法のステップを採用すれば、ユーザ端末のいずれかのセカンダリセルがビーム障害を発生した時、当該セカンダリセルのビーム障害の発生を基地局に通知する報告メッセージを送信するターゲットセルを確定できる。ここで、当該ターゲットセルは具体的に、ユーザ端末の当該セカンダリセル以外のセルであってもよい。このような場合、ユーザ端末はクロス・キャリアの方式で他のセルで当該セカンダリセルのビーム障害の発生の旨のメッセージを報告するメッセージを送信することができ、そして、当該セカンダリセル自体のＰＵＣＣＨ／ＰＵＳＣＨ／ＰＲＡＣＨが利用可能である場合、当該セカンダリセルをターゲットセルとして報告メッセージを送信しても良い。よって、ユーザ端末のセカンダリセルがビーム障害を発生した場合に、基地局に正確的に通知することができる。
【００６２】
次、上記ステップについて詳しく説明する。図２は本開示の例示的な実施例によるセカンダリセルのビーム障害の報告方法のフローチャートである。図２に示すように、当該方法は下記のステップを含む。
【００６３】
ステップＳ１１において、ユーザ端末の第１セカンダリセルのビーム障害の発生を確定する。
【００６４】
ステップＳ１２１において、上記の第１セカンダリセルがマスターセル基地局により制御されるマスターセルグループ（ＭＣＧ、Ｍａｓｔｅｒ  Ｃｅｌｌ  Ｇｒｏｕｐ）に属する場合、上記のユーザ端末のプライマリセルを、上記の第１セカンダリセルのビーム障害の発生を基地局に通知する報告メッセージを送信するターゲットセルとする。
【００６５】
ステップＳ１３において、上記のターゲットセルで上記の報告メッセージを送信する。
【００６６】
すなわち、図１に示すステップＳ１２は具体的にステップＳ１２１であってもよい。ステップＳ１２１において、上記の第１セカンダリセルがマスターセル基地局により制御されるマスターセルグループに属する場合に、上記のユーザ端末のプライマリセルを、上記の第１セカンダリセルのビーム障害の発生を基地局に通知する報告メッセージを送信するターゲットセルとする。
【００６７】
図２は本開示の実施例の可能な実現方式の１つに過ぎず、具体的に実施する時に、上記の第１セカンダリセルがサブセル基地局により制御されるセカンダリセルグループ（ＳＣＧ、Ｓｅｃｏｎｄａｒｙ  Ｃｅｌｌ  Ｇｒｏｕｐ）に属する場合に、ユーザ端末のプライマリ・セカンダリセル（ＰＳｃｅｌｌ、Ｐｒｉｍａｒｙ  Ｓｅｃｏｎｄａｒｙ  Ｃｅｌｌ）を、上記の第１セカンダリセルのビーム障害の発生を基地局に通知する報告メッセージを送信するターゲットセルとすることもできる。また、ユーザ端末の他のＰＵＣＣＨ（Ｐｈｙｓｉｃａｌ  Ｕｐｌｉｎｋ  Ｃｏｎｔｒｏｌ  Ｃｈａｎｎｅｌ、物理上り制御チャネル）／ＰＵＳＣＨ（Ｐｈｙｓｉｃａｌ  Ｕｐｌｉｎｋ  Ｓｈａｒｅｄ  Ｃｈａｎｎｅｌ、物理上り共有チャネル）／ＰＲＡＣＨ（Ｐｈｙｓｉｃａｌ  Ｒａｎｄｏｍ  Ａｃｃｅｓｓ  Ｃｈａｎｎｅｌ、物理ランダムアクセスチャネル）が配置されているセルを上記の報告メッセージを送信するターゲットセルとすることもできる。
【００６８】
以上を纏めると、ステップＳ１３は、上記のユーザ端末のプライマリセルを上記のターゲットセルとし、ここで、上記の第１セカンダリセルが、マスターセル基地局により制御されるマスターセルグループに属し、または、上記のユーザ端末のプライマリ・セカンダリセルを上記のターゲットセルとし、ここで、上記の第１セカンダリセルが、サブセル基地局により制御されるセカンダリセルグループに属し、または、上記のユーザ端末の、上記の第１セカンダリセル、上記のプライマリセル及び上記のプライマリ・セカンダリセル以外の、物理上り制御チャネルＰＵＣＣＨ／物理上り共有チャネルＰＵＳＣＨ／物理ランダムアクセスチャネルＰＲＡＣＨが配置されているセルを上記のターゲットセルとすることを含むことができる。具体的に実施する時、ユーザ端末の、ビーム障害の発生を通知する報告メッセージを送信するターゲットセルを予め配置することができ、このように、ユーザ端末はいずれかのセカンダリセルがビーム障害を発生したことを確定した後、直接、配置に基づいてターゲットセルを確定することができる。
【００６９】
次、ユーザ端末の第１セカンダリセル以外のセルをターゲットセルとする場合の報告メッセージの送信について詳しく説明する。
【００７０】
形態１、上記のターゲットセルのＰＵＣＣＨ／ＰＵＳＣＨ上のレイヤ１の参考信号受信パワーＬ１−ＲＳＲＰを送るシーケンス値に、上記の第１セカンダリセルのセル識別子及びビーム障害の発生を指示する指示情報を含んでいる上記の報告メッセージを載せる。
【００７１】
選択的に、上記の指示情報は、上記の第１セカンダリセルの1つ又は複数のＲＳの識別子と、上記の1つ又は複数のＲＳのＬ１−ＲＳＲＰを含んでいて、また、上記の第１セカンダリセルのビーム障害の検出用のＲＳのＬ１−ＲＳＲＰのビット値が全て所定のビット値である場合、ビーム障害の発生を表す。すなわち、基地局は当該報告メッセージを受信した後、当該指示情報によりユーザ端末のセルがビーム障害を発生したことを確定し、且つ当該セル識別子によりビーム障害を発生したセルが当該第１セカンダリセルであると確定する。
【００７２】
なお、従来技術において、Ｌ１−ＲＳＲＰの報告は７ｂｉｔで複数のビームにおけるＬ１−ＲＳＲＰが最も強くなるビームのＬ１−ＲＳＲＰ絶対値を指示し、他の各ビームのＬ１−ＲＳＲＰ値は当該最も強くなるＬ１−ＲＳＲＰとの相対値で指示し、各ビームの相対値は４ｂｉｔで指示する。上記形態１はＬ１−ＲＳＲＰを多重化する送信方法であり、Ｌ１−ＲＳＲＰを送るビットのうちの1つのシーケンス値を用いてビーム障害を示す。例えば、あるビームのビーム障害を指示するために、このビームはＬ１−ＲＳＲＰが最も強くなるビームでない場合に、４ｂｉｔのうちの1つのシーケンス値、例えば００００を設定することによって当該ビームのビーム障害の発生を示すことができる。このビームはＬ１−ＲＳＲＰが最も強くなるビームである場合に、７ｂｉｔのうちの1つのシーケンス値、例えば０００００００を設定することによって当該ビームのビーム障害の発生を表すことができる。
【００７３】
形態２、上記のターゲットセルのＰＵＣＣＨ／ＰＵＳＣＨ上のチャネル品質指示ＣＱＩをフィードバックするシーケンス値に、上記の第１セカンダリセルのセル識別子及び上記の第１セカンダリセルのチャネル品質情報を含んでいる上記の報告メッセージを載せ、上記の第１セカンダリセルはチャネル品質が所定の閾値より低くなる場合に、ビーム障害の発生を表す。
【００７４】
例示的に、当該チャネル品質情報は第１セカンダリセルのビーム障害の検出用のＲＳ上のＣＱＩ値を含むことができる。このように、本開示の実施例は、当該第１セカンダリセルのビーム障害の検出用のＲＳ上のＣＱＩ値が全て所定の閾値より低くなる場合に、第１セカンダリセルがビーム障害を発生したと考えられるように構成され、また、当該サービングセルのビーム障害の発生を確定する条件について、具体的に、ユーザ端末と基地局との間で事前に定めることができる。
【００７５】
形態３、上記のターゲットセルのＰＵＣＣＨ／ＰＵＳＣＨ上のスケジューリングリクエストＳＲのリソースに、上記の第１セカンダリセルのセル識別子及びビーム障害の発生を指示する指示情報を含んでいる上記の報告メッセージを載せる。
【００７６】
すなわち、ＳＲリソースを多重化し、対応する指示情報を設計し、指示情報とセル識別子を報告メッセージとして基地局に送信して、当該第１セカンダリセルがビーム障害を発生することを通知することができる。当該指示情報は、形態１におけるＬ１−ＲＳＲＰの多重化方法を参照し、特定のビット値を用いてビーム障害の発生を指示することができる。ここで説明を省略する。
【００７７】
形態４、上記のターゲットセルのＰＵＣＣＨ／ＰＵＳＣＨ上で、ＰＵＣＣＨ／ＰＵＳＣＨに載せる上記の報告メッセージのビット、上記の第１セカンダリセルのセル識別子を示すビット値、及びビーム障害の発生を指示する指示情報を示すビット値を指定した所定フォーマットの報告メッセージを送信する。
【００７８】
すなわち、形態１及び形態３では既存の送信リソースを多重化するが、本開示の実施例はビーム障害を指示する専用のメッセージフォーマットを設計し、ＰＵＣＣＨ／ＰＵＳＣＨ上で当該所定フォーマットの報告メッセージを送信しても良い。
【００７９】
形態５、基地局が送信した、第１セカンダリセルのビーム障害の発生の旨の報告情報を送信するように構成される所定のＰＲＡＣＨ時間周波数コードリソースを受信し、上記の所定のＰＲＡＣＨ時間周波数リソースで、予め設定されたランダムアクセスプリアンブルコードを送信して、上記のユーザ端末の第１セカンダリセルのビーム障害の発生を上記の基地局に通知する。
【００８０】
すなわち、ＰＲＡＣＨが配置されているターゲットセルに対して、非衝突型（ｃｏｎｔｅｎｔｉｏｎ  ｆｒｅｅ）ランダムアクセスプリアンブルコード（即ち、上記の予め設定されたランダムアクセスプリアンブルコード）を報告メッセージとして利用し、所定のＰＲＡＣＨ時間周波数リソース上で当該ランダムアクセスプリアンブルコードを送信することができる。当該所定のＰＲＡＣＨ時間周波数リソースは基地局がユーザ端末に配分する、第１セカンダリセルのビーム障害の発生を通知する報告メッセージを専ら送信するリソースである。このように、基地局が当該所定のＰＲＡＣＨ時間周波数リソースにおいて予め設定されたランダムアクセスプリアンブルコードを受信すれば、当該第１セカンダリセルにビーム障害が発生したと考えられる。
【００８１】
別の可能な実現方式では、ユーザ端末は第１セカンダリセルの衝突（ｃｏｎｔｅｎｔｉｏｎ  ｂａｓｅｄ）に基づくランダムアクセスプリアンブルコードを報告メッセージとして利用し、ターゲットセルのＰＲＡＣＨ時間周波数リソース上で送信し、上記の基地局に上記のユーザ端末の上記の第１セカンダリセルのビーム障害の発生を通知する。
【００８２】
選択的に、ユーザ端末の上記の第１セカンダリセル以外のセルをターゲットセルとする外、さらに本開示の実施例では、第１セカンダリセルのＰＵＣＣＨ／ＰＵＳＣＨ／ＰＲＡＣＨが利用可能である場合、上記の第１セカンダリセルを上記のターゲットセルとして確定し、上記の第１セカンダリセルのＰＵＣＣＨ／ＰＵＳＣＨ／ＰＲＡＣＨリソースで上記の報告メッセージを送信することもできる。例示的に、図３は本開示の例示的な実施例によるセカンダリセルのビーム障害の報告方法のフローチャートである。図３に示すように、上記の方法は下記のステップを含む。
【００８３】
ステップＳ１１において、ユーザ端末の第１セカンダリセルのビーム障害の発生を確定する。
【００８４】
ステップＳ１２２において、上記の第１セカンダリセル上のＰＵＣＣＨ／ＰＵＳＣＨ／ＰＲＡＣＨが利用可能か否かを確定する。
【００８５】
例示的に、当該ユーザ端末は下記の２つの方式で第１セカンダリセル上のＰＵＣＣＨ／ＰＵＳＣＨ／ＰＲＡＣＨが利用可能か否かを確定することができる。
【００８６】
形態１、上記の基地局が送信した指示メッセージを受信し、上記の指示メッセージに基づいて上記の第１セカンダリセル上のＰＵＣＣＨ／ＰＵＳＣＨ／ＰＲＡＣＨが利用可能か否かを確定する。
【００８７】
具体的には、基地局はユーザ端末の第１セカンダリセルの下り受信が失敗したことを確定する時、ユーザ端末が第１セカンダリセルのＰＵＣＣＨ／ＰＵＳＣＨ／ＰＲＡＣＨで送信した上り情報を受信できるか否かを判断する。受信できる場合、第１セカンダリセル上のＰＵＣＣＨ／ＰＵＳＣＨ／ＰＲＡＣＨが利用可能であることを示し、この場合、基地局は他のサービングセルにおけるＰＤＣＣＨ又はＰＤＳＣＨを通じて指示メッセージを送信してユーザ端末に対して当該第１セカンダリセル上のＰＵＣＣＨ／ＰＵＳＣＨ／ＰＲＡＣＨが利用可能であると通知することができる。したがって、ユーザ端末は基地局が送信した当該指示メッセージを受信すると、第１セカンダリセル上のＰＵＣＣＨ／ＰＵＳＣＨ／ＰＲＡＣＨが利用可能であることを確定できる。
【００８８】
形態２、上記のユーザ端末自身の受信と送信に互換性があるか否かを判断し、上記のユーザ端末自身の受信と送信に互換性がない場合、上記の第１セカンダリセル上のＰＵＣＣＨ／ＰＵＳＣＨ／ＰＲＡＣＨが利用可能であると確定する。
【００８９】
なお、互換性とは、アンテナが送信アンテナとして用いられる場合のパラメータと、アンテナが受信アンテナとして用いられるパラメータとが変わらないことをいう。ユーザ端末自身の受信と送信に互換性が存在すれば、ユーザ端末の下り通信が失敗する場合、上り通信が失敗する確率も大きくなり、また、ユーザ端末自身の受信と送信に互換性がなければ、ユーザ端末の下り通信が失敗する場合、上りのＰＵＣＣＨ／ＰＵＳＣＨ／ＰＲＡＣＨが依然として利用可能であると考えられる。
【００９０】
ステップＳ１２３において、上記の第１セカンダリセル上のＰＵＣＣＨ／ＰＵＳＣＨ／ＰＲＡＣＨが利用可能な場合、上記の第１セカンダリセルを上記のターゲットセルとする。
【００９１】
ステップＳ１３１において、上記の第１セカンダリセルのＰＵＣＣＨ／ＰＵＳＣＨ／ＰＲＡＣＨリソースで上記の報告メッセージを送信する。
【００９２】
すなわち、図１に示すステップＳ１２は、上記の第１セカンダリセル上のＰＵＣＣＨ／ＰＵＳＣＨ／ＰＲＡＣＨが利用可能か否かを確定することと、上記の第１セカンダリセル上のＰＵＣＣＨ／ＰＵＳＣＨ／ＰＲＡＣＨが利用可能である場合、上記の第１セカンダリセルを上記のターゲットセルとすることと、を含むことができる。
【００９３】
次、第１セカンダリセルをターゲットセルとする場合、報告メッセージの送信について詳しく説明する。
【００９４】
形態１、第１セカンダリセルのＰＵＣＣＨ／ＰＵＳＣＨが利用可能な場合、ＰＵＣＣＨ／ＰＵＳＣＨが利用可能な上記の第１セカンダリセル上のＰＵＣＣＨ／ＰＵＳＣＨ上のＬ１−ＲＳＲＰを送るシーケンス値に、上記の報告メッセージを載せる。
【００９５】
具体的には、上記の報告メッセージは、上記の第１セカンダリセルの1つまたは複数の参考信号ＲＳの識別子及び1つまたは複数の参考信号ＲＳのＬ１−ＲＳＲＰを含んでいて、上記の第１セカンダリセルのビーム障害の検出用のＲＳのＬ１−ＲＳＲＰのビット値が全て所定のビット値である場合、上記の第１セカンダリセルのビーム障害の発生を表す。
【００９６】
形態２、第１セカンダリセルのＰＵＣＣＨ／ＰＵＳＣＨが利用可能な場合、ＰＵＣＣＨ／ＰＵＳＣＨが利用可能な上記の第１セカンダリセルのＰＵＣＣＨ／ＰＵＳＣＨ上のチャネル品質指示ＣＱＩをフィードバックするシーケンス値に、上記の第１セカンダリセルのチャネル品質情報を含んでいる上記の報告メッセージを載せ、上記の第１セカンダリセルのチャネル品質が所定の閾値より低くなる場合に、上記の第１セカンダリセルのビーム障害の発生を表す。
【００９７】
例示的に、当該チャネル品質情報は第１セカンダリセルのビーム障害の検出用のＲＳ上のＣＱＩ値を含むことができる。このように、本開示の実施例は、当該第１セカンダリセルのビーム障害の検出用のＲＳ上のＣＱＩ値が全て所定の閾値より低くなる場合に、第１セカンダリセルがビーム障害を発生したと考えられるように構成され、また、当該サービングセルのビーム障害の発生を確定する条件について、具体的に、ユーザ端末と基地局との間で事前に定めることができる。
【００９８】
図４は本開示の例示的な実施例によるセカンダリセルのビーム障害の報告方法のフローチャートである。図４に示すように、当該方法は下記のステップを含む。
【００９９】
ステップＳ１１において、ユーザ端末の第１セカンダリセルのビーム障害の発生を確定する。
【０１００】
ステップＳ１２４において、上記の第１セカンダリセル上のＰＲＡＣＨが利用可能な場合、当該第１セカンダリセルを上記のターゲットセルとする。
【０１０１】
ステップＳ１３２において、上記の第１セカンダリセルで、新候補ビームに対応する参考信号ＲＳが存在するか否かを検出する。
【０１０２】
ステップＳ１３３において、上記のユーザ端末は新候補ビームに対応するＲＳを検出すると、上記の新候補ビームのＲＳに対応する上記の第１セカンダリセルのＰＲＡＣＨ時間周波数リソースで、対応するランダムアクセスプリアンブルコードを送信して、上記のユーザ端末の上記の第１セカンダリセルのビーム障害の発生を上記の基地局に通知する。
【０１０３】
すなわち、当該ユーザ端末の第１セカンダリセルのＰＲＡＣＨは利用可能であり、且つ当該ユーザ端末は新候補ビームに対応する参考信号ＲＳを検出した場合、ユーザ端末は当該ＲＳに対応するランダムアクセス時間周波数リソースで、当該ＲＳに対応するランダムアクセスプリアンブルコードを送信し、基地局に対して当該ユーザ端末が当該第１セカンダリセルでビーム障害を発生したことと、新ビーム（即ち当該ランダムアクセスプリアンブルコードリソースに対応するＲＳが使用しているビーム）を見つけたことを隠して通知し、よって、基地局は当該新ビームを利用して当該第１セカンダリセルのビーム回復を行うことができる。
【０１０４】
図５は本開示の例示的な実施例によるセカンダリセルのビーム障害の報告方法のフローチャートである。図５に示すように、当該方法は下記のステップを含む。
【０１０５】
ステップＳ１１において、ユーザ端末の第１セカンダリセルのビーム障害の発生を確定する。
【０１０６】
ステップＳ１２２において、上記の第１セカンダリセル上のＰＵＣＣＨ／ＰＵＳＣＨ／ＰＲＡＣＨが利用可能か否かを確定する。
【０１０７】
ここで、上記の第１セカンダリセル上のＰＵＣＣＨ／ＰＵＳＣＨ／ＰＲＡＣＨが利用可能な場合、ステップＳ１２３およびステップＳ１３１を実行する。上記の第１セカンダリセル上のＰＵＣＣＨとＰＵＳＣＨとＰＲＡＣＨがいずれも利用できない場合、ステップＳ１２５及びステップＳ１３４を実行する。
【０１０８】
ステップＳ１２３において、上記の第１セカンダリセル上のＰＵＣＣＨ／ＰＵＳＣＨ／ＰＲＡＣＨが利用可能な場合、上記の第１セカンダリセルを上記のターゲットセルとする。
【０１０９】
ステップＳ１３１において、上記の第１セカンダリセルのＰＵＣＣＨ／ＰＵＳＣＨ／ＰＲＡＣＨリソースで上記の報告メッセージを送信する。
【０１１０】
ステップＳ１２５において、上記の第１セカンダリセル上のＰＵＣＣＨとＰＵＳＣＨとＰＲＡＣＨがいずれも利用できない場合、上記のユーザ端末の上記の第１セカンダリセル以外のセルをターゲットセルとして確定する。
【０１１１】
ステップＳ１３４において、上記のターゲットセルのＰＵＣＣＨ／ＰＵＳＣＨ／ＰＲＡＣＨリソースで上記の報告メッセージを送信する。
【０１１２】
図５に示すものは図２及び図３を組み合わせて得た実施例であり、各ステップは図２及び図３における対応する説明を参照することができるため、ここで説明を省略する。
【０１１３】
図５に示す実施例によれば、ユーザ端末のいずれかのセカンダリセルがビーム障害を発生した時、当該セカンダリセル自体のＰＵＣＣＨ／ＰＵＳＣＨ／ＰＲＡＣＨが利用可能である場合、当該セカンダリセルをターゲットセルとして報告メッセージを送信する。当該セカンダリセル自体のＰＵＣＣＨ／ＰＵＳＣＨ／ＰＲＡＣＨが利用可能ではない場合、該ユーザ端末の該セカンダリセル以外のセルをターゲットセルとし、クロス・キャリアの方式で報告メッセージを送信することによって、ユーザ端末のセカンダリセルがビーム障害を発生した場合に、基地局に正確的に通知することができる。
【０１１４】
さらに、ユーザ端末は基地局に報告メッセージを送信した後、さらに、第１セカンダリセルのビーム回復を行う下記のステップを含むことができる。上記の基地局が送信した上記の第１セカンダリセルのビーム測定及び報告用の配置情報を受信し、上記の配置情報に基づいてビーム測定を行い、測定された候補ビームを報告し、上記の候補ビームは、上記の基地局が上記の第１セカンダリセルのビーム配置を更新するために用いられるものである。即ち、基地局はユーザ端末に対してビーム測定及び報告を行うよう指示することによって更新されるビーム情報を得て、そして更新済のビーム情報をユーザ端末に配置し、これにより第１セカンダリセルのビーム回復を完成する。
【０１１５】
本開示の実施例はさらにセカンダリセルのビーム障害の報告装置を提供し、当該装置は、上記方法に係る実施例によるセカンダリセルのビーム障害の報告方法のステップを実施するように構成される。当該装置はハードウェア、ソフトウェア又は両方の組合せによってユーザ端末の一部を実現することができる。図６に示すように、装置は、
第１セカンダリセルのビーム障害の発生を確定するように配置される第１確定モジュール６１と、
基地局に対して、上記の第１セカンダリセルのビーム障害の発生を上記の基地局に通知する報告メッセージを送信するターゲットセルを確定するように配置される第２確定モジュール６２と、
上記のターゲットセルで上記の報告メッセージを送信するように配置される送信モジュール６３と、を含む。
【０１１６】
上記装置によれば、ユーザ端末のいずれかのセカンダリセルがビーム障害を発生した時、当該セカンダリセルのビーム障害の発生を基地局に通知する報告メッセージを送信するターゲットセルを確定できる。ここで、当該ターゲットセルは具体的に、ユーザ端末の当該セカンダリセル以外のセルであってもよい。このような場合、ユーザ端末はクロス・キャリアの方式で他のセルで当該セカンダリセルのビーム障害の発生の旨のメッセージを報告するメッセージを送信することができ、そして、当該セカンダリセル自体のＰＵＣＣＨ／ＰＵＳＣＨ／ＰＲＡＣＨが利用可能である場合、当該セカンダリセルをターゲットセルとして報告メッセージを送信しても良い。よって、ユーザ端末のセカンダリセルがビーム障害を発生した場合に、基地局に正確的に通知することができる。
【０１１７】
選択的に、図７に示すように、上記の第２確定モジュール６２は
上記のユーザ端末のプライマリセルを上記のターゲットセルとするように配置される第１確定サブモジュール６２０１と、ここで、上記の第１セカンダリセルが、マスターセル基地局により制御されるマスターセルグループに属し、または、
上記のユーザ端末のプライマリ・セカンダリセルを上記のターゲットセルとするように配置される第２確定サブモジュール６２０２と、ここで、上記の第１セカンダリセルが、サブセル基地局により制御されるセカンダリセルグループに属し、または、
上記のユーザ端末の、上記の第１セカンダリセル、上記のプライマリセル及び上記のプライマリ・セカンダリセル以外の、物理上り制御チャネルＰＵＣＣＨ／物理上り共有チャネルＰＵＳＣＨ／物理ランダムアクセスチャネルＰＲＡＣＨが配置されているセルを上記のターゲットセルとするように配置される第３確定サブモジュール６２０３と、を含む。
【０１１８】
選択的には、図８に示すように、上記の第２確定モジュール６２は、上記の第１セカンダリセルを上記のターゲットセルとして確定するように配置される第４確定サブモジュール６２０４を含み、  上記の送信モジュールは、上記の第１セカンダリセルのＰＵＣＣＨ／ＰＵＳＣＨ／ＰＲＡＣＨリソースで上記の報告メッセージを送信するように配置される。
【０１１９】
選択的に、図８に示すように、当該装置は上記の第１セカンダリセル上のＰＵＣＣＨ／ＰＵＳＣＨ／ＰＲＡＣＨが利用可能か否かを確定するように配置される判断モジュール６４を更に含み、
上記の第４確定サブモジュール６２０４は、上記の第１セカンダリセル上のＰＵＣＣＨ／ＰＵＳＣＨ／ＰＲＡＣＨが利用可能である場合、上記の第１セカンダリセルを上記のターゲットセルとするように配置される。
【０１２０】
選択的に、上記の判断モジュール６４は上記の基地局が送信した指示メッセージを受信するように配置される受信サブモジュール６４１と、上記の指示メッセージに基づいて上記の第１セカンダリセル上のＰＵＣＣＨ／ＰＵＳＣＨ／ＰＲＡＣＨが利用可能か否かを確定するように配置される第１利用可能性確定サブモジュール６４２と、を含み、または、
上記の判断モジュール６４は、上記のユーザ端末自身の受信と送信に互換性があるか否かを判断するように配置される判断サブモジュール６４３と、上記のユーザ端末自身の受信と送信に互換性がない場合、上記の第１セカンダリセル上のＰＵＣＣＨ／ＰＵＳＣＨ／ＰＲＡＣＨが利用可能であると確定するように配置される第２利用可能性確定サブモジュール６４４と、を含む。
【０１２１】
選択的に、図７に示すように、上記の送信モジュール６３は第１送信サブモジュール６３０１を含み、上記の第１送信サブモジュール６３０１は、上記のターゲットセルのＰＵＣＣＨ／ＰＵＳＣＨ上のレイヤ１の参考信号受信パワーＬ１−ＲＳＲＰを送るシーケンス値に、上記の第１セカンダリセルのセル識別子及びビーム障害の発生を指示する指示情報を含んでいる上記の報告メッセージを載せるように配置される。
【０１２２】
選択的に、上記の指示情報は、上記の第１セカンダリセルの1つ又は複数のＲＳの識別子と、上記の1つ又は複数のＲＳのＬ１−ＲＳＲＰを含んでいて、上記の1つ又は複数のＲＳのＬ１−ＲＳＲＰのビット値が全て所定のビット値である場合、ビーム障害の発生を表す。
【０１２３】
選択的に、図７に示すように、上記の送信モジュール６３は第２送信サブモジュール６３０２を含み、上記の第２送信サブモジュール６３０２は、上記のターゲットセルのＰＵＣＣＨ／ＰＵＳＣＨ上のチャネル品質指示ＣＱＩをフィードバックするシーケンス値に、上記の第１セカンダリセルのセル識別子及び上記の第１セカンダリセルのチャネル品質情報を含んでいる上記の報告メッセージを載せるように配置され、上記の第１セカンダリセルはチャネル品質が所定の閾値より低くなる場合に、ビーム障害の発生を表す。
【０１２４】
選択的には、図７に示すように、上記の送信モジュール６３は第３送信サブモジュール６３０３を含み、上記の第３送信サブモジュール６３０３は、上記のターゲットセルのＰＵＣＣＨ／ＰＵＳＣＨ上のスケジューリングリクエストＳＲのリソースに、上記の第１セカンダリセルのセル識別子及びビーム障害の発生を指示する指示情報を含んでいる上記の報告メッセージを載せるように配置される。
【０１２５】
選択的に、図７に示すように、上記の送信モジュール６３は第４送信サブモジュール６３０４を含み、上記の第４送信サブモジュール６３０４は、上記のターゲットセルのＰＵＣＣＨ／ＰＵＳＣＨ上で、ＰＵＣＣＨ／ＰＵＳＣＨに載せる上記の報告メッセージのビット、上記の第１セカンダリセルのセル識別子を示すビット値、及びビーム障害の発生を指示する指示情報を示すビット値を指定した所定フォーマットの報告メッセージを送信するように配置される。
【０１２６】
選択的に、図７に示すように、上記の送信モジュール６３は
基地局が送信した、第１セカンダリセルのビーム障害の発生の旨の報告情報を送信するように構成される所定のＰＲＡＣＨ時間周波数コードリソースを受信するように配置される第１受信サブモジュール６３０５と、
上記の所定のＰＲＡＣＨ時間周波数リソースで、予め設定されたランダムアクセスプリアンブルコードを送信して、上記のユーザ端末の第１セカンダリセルのビーム障害の発生を上記の基地局に通知するように配置される第５送信サブモジュール６３０６と、を含む。  
【０１２７】
選択的に、図８に示すように、上記の送信モジュール６３は第６送信サブモジュール６３０７を含み、上記の第６送信サブモジュール６３０７は、ＰＵＣＣＨ／ＰＵＳＣＨが利用可能な上記の第１セカンダリセル上のＰＵＣＣＨ／ＰＵＳＣＨ上のＬ１−ＲＳＲＰを送るシーケンス値に、上記の報告メッセージを載せるように配置される。
【０１２８】
選択的に、上記の報告メッセージは、上記の第１セカンダリセルの1つまたは複数のＲＳの識別子及び上記の1つまたは複数のＲＳのＬ１−ＲＳＲＰを含んでいて、上記の1つまたは複数のＲＳのＬ１−ＲＳＲＰのビット値が全て所定のビット値である場合、上記の第１セカンダリセルのビーム障害の発生を表す。
【０１２９】
選択的には、図８に示すように、上記の送信モジュール６３は第７送信サブモジュール６３０８を含み、上記の第７送信サブモジュール６３０８は、ＰＵＣＣＨ／ＰＵＳＣＨが利用可能な上記の第１セカンダリセルのＰＵＣＣＨ／ＰＵＳＣＨ上のチャネル品質指示ＣＱＩをフィードバックするシーケンス値に、上記の第１セカンダリセルのチャネル品質情報を含んでいる上記の報告メッセージを載せるように配置され、上記の第１セカンダリセルのチャネル品質が所定の閾値より低くなる場合に、上記の第１セカンダリセルのビーム障害の発生を表す。
【０１３０】
選択的に、図８に示すように、上記の送信モジュール６３は、
上記の第１セカンダリセルで、新候補ビームに対応する参考信号（ＲＳ）が存在するか否かを検出するように配置される検出サブモジュール６３０９と、
上記のユーザ端末は新候補ビームに対応するＲＳを検出すると、上記の新候補ビームのＲＳに対応する上記の第１セカンダリセルのＰＲＡＣＨ時間周波数リソースで、対応するランダムアクセスプリアンブルコードを送信して、上記のユーザ端末の上記の第１セカンダリセルのビーム障害の発生を上記の基地局に通知するように配置される第８送信サブモジュール６３１０と、を含み、ここで、上記の第１セカンダリセル上のＰＲＡＣＨは利用可能である。
【０１３１】
選択的に、図９に示すように、上記の送信モジュール６３は、
上記の基地局が送信した配置シグナリングを受信するように配置される第２受信サブモジュール６３１１と、
上記の配置シグナリングに基づいて、上記のターゲットセルが配置したＰＵＣＣＨ／ＰＵＳＣＨ／ＰＲＡＣＨを用いて上記の報告メッセージの時間周波数コードリソースを送信するように配置される第９送信サブモジュール６３１２と、を含む。
【０１３２】
選択的に、図１０に示すように、当該装置は、上記の基地局が送信した上記の第１セカンダリセルのビーム測定と報告用の配置情報を受信するように配置される受信モジュール６５と、
上記の配置情報に基づいてビーム測定を行い、測定された候補ビームを報告するように配置されるビーム測定報告モジュール６６と、を更に含み、ここで、上記の候補ビームは、上記の基地局が上記の第１セカンダリセルのビーム配置を更新するために用いられるものである。
【０１３３】
当業者であれば分かるように、以上は図６乃至図１０を参照しながらセカンダリセルのビーム障害の報告装置を例示するものであり、具体的に実施する時、機能上のニーズに応じて上記各モジュールを組み合わせる又は変更することができる。上記実施例における装置について、その内の各モジュールが操作を実行する具体的な方式は既に当該方法に関する実施例において詳細に説明し、ここでは詳細に説明しない。
【０１３４】
本開示の実施例はさらにコンピュータの読み取り可能な記憶媒体を提供し、当該プログラムがプロセッサにより実行される時に、上記の方法に係る実施例によるセカンダリセルビーム障害の報告方法のステップを実現する。
【０１３５】
本開示の実施例はさらにユーザ端末を提供し、ユーザ端末は、コンピュータプログラムが記憶されているメモリと、
上記のメモリ内の上記のコンピュータプログラムを実行して、上記の方法に係る実施例によるセカンダリセルビーム障害の報告方法のステップを実現するプロセッサとを含む。
【０１３６】
例示的に、図１１は、例示的な実施例に係るユーザ端末のブロック図である。例えば、該ユーザ端末１１００は、携帯電話、コンピュータ、デジタル放送端末、メッセージング装置、ゲームコンソール、タブレット装置、医療装置、フィットネス装置、パーソナルデジタルアシスタントなどの移動可能な端末であってもよい。
【０１３７】
図１１を参照すると、ユーザ端末１１００は、処理ユニット１１０２と、メモリ１１０４と、電力ユニット１１０６と、マルチメディアユニット１１０８と、オーディオユニット１１１０と、入力／出力（Ｉ／Ｏ）インターフェース１１１２と、センサーユニット１１１４と、通信ユニット１１１６との１つ又は複数を含んでよい。
【０１３８】
処理ユニット１１０２は、通常、表示、電話呼び出し、データ通信、カメラ操作および記録操作に関連する操作のようなユーザ端末１１００の全体操作を制御する。処理ユニット１１０２は、上記の端末側の上りフィードバック方法の全部または一部のステップを完成するために命令を実行する１つまたは複数のプロセッサ１１２０を備えることができる。また、処理ユニット１１０２は、その他のユニットとのやり取りを容易にするために１つまたは複数のモジュールを含むことができる。例えば、処理ユニット１１０２は、マルチメディアユニット１１０８とのやり取りを容易にするために、マルチメディアモジュールを含むことができる。
【０１３９】
メモリ１１０４は、ユーザ端末１１００による動作を支援するための様々なデータを格納するように構成されている。これらのデータの例としては、ユーザ端末１１００で動作する任意のアプリケーションまたは方法のための指示、連絡先データ、電話帳データ、メッセージ、写真、ビデオなどを含む。メモリ１１０４は、スタティック・ランダム・アクセス・メモリ（ＳＲＡＭ）、電気的に消去可能なプログラマブル・リードオンリー・メモリ（ＥＥＰＲＯＭ）、消去可能なプログラマブル・リードオンリー・メモリ（ＥＰＲＯＭ）、プログラマブル・リードオンリー・メモリ（ＰＲＯＭ）、リードオンリー・メモリ（ＲＯＭ）、磁気メモリ、フラッシュ・メモリ、ディスクまたはＣＤ−ＲＯＭなど、任意のタイプの揮発性または不揮発性の記憶デバイスまたはそれらの組み合わせによって実現されてもよい。
【０１４０】
電力ユニット１１０６は、ユーザ端末１１００の様々な構成要素に電力を供給する。電力ユニット１１０６は、電源管理システム、一つ以上の電源、およびユーザ端末１１００のための電力の生成、管理、および分配に関連する他のユニットを含んでよい。
【０１４１】
マルチメディアユニット１１０８は、ユーザ端末１１００とユーザとの間に出力インタフェースを提供する画面を含む。一部の実施例では、画面は、液晶ディスプレイ（ＬＣＤ）およびタッチパネル（ＴＰ）を含むことができる。画面がタッチパネルを含む場合、その画面は、ユーザからの入力信号を受信するために、タッチパネルとして実現されることができる。タッチパネルは、タッチ、スライドおよびタッチパネル上のジェスチャーをセンシングするために1つまたは複数のタッチセンサを含む。タッチセンサは、タッチやスライドの境界をセンシングするだけでなく、タッチやスライドに関連する継続時間および圧力を検出することができる。一部の実施例において、マルチメディアユニット１１０８は、フロントカメラおよび/またはリアカメラを含む。ユーザ端末１１００が撮影モードやビデオモードのような操作モードにある場合、フロントカメラと/またはリアカメラは、外部のマルチメディアデータを受信することができる。フロントカメラとリアカメラの各々は、固定された光学レンズシステムであってよく、または焦点距離および光学ズーム機能を備えても良い。
【０１４２】
オーディオユニット１１１０は、オーディオ信号を出力および/または入力するように構成される。例えば、オーディオユニット１１１０はマイクロフォン（ＭＩＣ）を含み、ユーザ端末１１００が呼び出しモード、記録モードおよび音声認識モードのような操作モードにある場合、マイクロフォンは外部のオーディオ信号を受信するように構成される。受信されたオーディオ信号はさらにメモリ１１０４に記憶され、または通信ユニット１１１６経由で送信されることができる。一部の実施例において、オーディオユニット１１１０は、さらにオーディオ信号を出力する構成されるスピーカーを含む。
【０１４３】
Ｉ／Ｏインタフェース１１１２は処理モジュール１１０２と周辺インタフェースモジュールとの間にインタフェースを提供し、上記周辺インタフェースモジュールはキーボード、クリックホイール、ボタン等であってもよい。これらのボタンには、ホームボタン、ボリュームボタン、スタートボタン、ロックボタンなどが含まれるが、これらに限定されるものではない。
【０１４４】
センサユニット１１１４は、ユーザ端末１１００に各方面の状態評価を提供するように構成される1つまたは複数のセンサを含む。例えば、センサユニット１１１４は、ユーザ端末１１００のオン/オフ状態、ユニットの相対的な位置決め、例えばユニットがユーザ端末１１００のディスプレイおよびキーパッドであることを検出でき、センサユニット１１１４はさらにユーザ端末１１００またはユーザ端末１１００における一つのユニットの位置変化、ユーザとのユーザ端末１１００との接触が存在するかどうか、ユーザ端末１１００の方位または加速/減速およびユーザ端末１１００の温度変化を検出することも可能である。センサユニット１１１４は、いかなる物理的接触がない時に近くの物体が存在しているかどうかを検出するように構成される近接センサを含むことができる。該センサユニット１１１４はさらにイメージングアプリケーションに使用されるように構成されるＣＭＯＳやＣＣＤイメージセンサのような光センサを含むことができる。一部の実施例において、該センサユニット１１１４はさらに加速度センサ、ジャイロセンサ、磁気センサ、圧力センサまたは温度センサを含むことができる。
【０１４５】
通信ユニット１１１６は、ユーザ端末１１００と他の装置との間の有線または無線通信を容易にするように構成される。ユーザ端末１１００は、ＷｉＦｉ、２Ｇ若しくは３Ｇ、又はこれらの組み合わせなどの通信規格に基づく無線ネットワークにアクセスすることができる。一つの例示的な実施例において、通信ユニット１１１６は、放送チャネルを介して外部の放送管理システムからの放送信号または放送関連情報を受信する。一つの例示的な実施例において、通信ユニット１１１６は、さらに、近距離通信を促進するために近距離通信（ＮＦＣ）モジュールを含む。例えば、ＮＦＣモジュールは、無線周波数識別（ＲＦＩＤ）技術、赤外線データ協会（ＩｒＤＡ）技術、超広帯域（ＵＷＢ）技術、ブルートゥース(登録商標)（ＢＴ）技術およびその他の技術に基づいて実現されることができる。
【０１４６】
例示的な実施例において、ユーザ端末１１００は1つまたは複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ、またはその他の電子コンポーネントによって実現されることができ、上記方法に係る実施例によるセカンダリセルのビーム障害の報告方法のステップを実行するように構成される。
【０１４７】
例示的な実施例において、命令を含むメモリ１１０４のような非一時的なコンピュータ読み取り可能な記憶媒体を提供する。上記の命令はユーザ端末１１００のプロセッサ１１２０によって実行されて上記方法に係る実施例によるセカンダリセルのビーム障害の報告方法のステップを完成させることができる。例えば、非一時的なコンピュータ読み取り可能な記憶媒体は、ＲＯＭ、ランダムアクセスメモリ（ＲＡＭ）、ＣＤ-ＲＯＭ、テープ、フロッピー(登録商標)ディスクおよび光データ記憶装置などであってよい。
【０１４８】
本開示の他の実施形態は、当業者が本明細書を考察したり本開示実施したりすることによって容易になし得るものである。本出願は本開示のいかなる変形、用途又は適応変化をカバーすることを意図し、これらの変形、用途又は適応変化は本開示の一般的な原理に従い且つ本開示に開示されていない当技術分野における公知常識又は慣用技術手段を含む。本明細書および実施例は、例示のみとして考えられ、本開示の本質的な範囲および精神は、特許請求の範囲によって示される。
【０１４９】
本開示は、上文に描かれかつ図面に示した厳密な構造に限定されるものではなく、その範囲から逸脱することなく様々な修正及び変更が可能であることを理解されるべき。本開示の範囲は、添付の特許請求の範囲に限る。
【０１５０】
以上、添付図面を参照しながら本発明の好適な実施例について詳細に説明したが、本発明はかかる例に限定されない。本開示の技術的思想の範疇内において、各種の変更が可能であり、これらの変更例は当然に本発明の技術的範囲に属する。
【０１５１】
また、上記の具体的実施形態に記載された各具体的な技術的要素は、矛盾しない限り、任意の適切な方式で組み合わせることができる。重複を回避するために、本開示は各組み合わせ方式を別途説明しない。
【０１５２】
また、本開示の多様な実施例は、本開示の思想に反しない限り、任意に組み合わせることができ、同様に本開示に開示されている内容とみなすべきである。
【図１】
2021536193.tif 000003
【図２】
2021536193.tif 000004
【図３】
2021536193.tif 000005
【図４】
2021536193.tif 000006
【図５】
2021536193.tif 000007
【図６】
2021536193.tif 000008
【図７】
2021536193.tif 000009
【図８】
2021536193.tif 000010
【図９】
2021536193.tif 000011
【図１０】
2021536193.tif 000012
【図１１】
2021536193.tif 000013
【国際調査報告】
2021536193.tif 000014
2021536193.tif 000015
2021536193.tif 000016
2021536193.tif 000017